(57)【要約】【課題】電子辞書の表示能力に差があっても、その表示能力に合わせて適切な検索画面を表示することを可能にする電子辞書用記録媒体を提供すること。【解決手段】電子辞書用記録媒体は、電子辞書の表示部の表示能力に応じて選択するための複数の検索画面情報と、選択された検索画面情報に基づいて表示された検索画面を介して検索可能な辞書情報とを格納する。【選択図】  図２
2004272574.tif 000002
【特許請求の範囲】
【請求項１】
電子辞書の表示部の表示能力に応じて選択するための複数の検索画面情報と、選択された検索画面情報に基づいて表示された検索画面を介して検索可能な辞書情報とを格納した電子辞書用記録媒体。
【請求項２】
請求項１に記載の電子辞書用記録媒体から検索画面情報および辞書情報を読み込む読取部と、表示部と、読み込んだ検索画面情報から表示部の表示能力に応じた検索画面情報を選択し検索画面として表示部に表示させる選択部と、表示された検索画面に基づいて文字列を入力するための入力部と、入力された文字列に対応する辞書情報を検索して表示部に表示する検索部を備える電子辞書。
【請求項３】
請求項２に記載の電子辞書に利用されるプログラムを記録した記録媒体であって、電子辞書用記録媒体から検索画面情報および辞書情報を読み込み、読み込んだ検索画面情報から表示部の表示能力に応じた検索画面情報を選択し検索画面として表示部に表示させ、入力された文字列に対応する辞書情報を検索して表示部に表示させるプログラムをコンピュータで読み取り可能に記録した記録媒体。
【発明の詳細な説明】
【０００１】
【発明の属する技術分野】
この発明は、電子辞書用記録媒体、それを用いた電子辞書およびその電子辞書の処理プログラムを記録した記録媒体に関する。
【０００２】
【従来の技術】
この発明に関連する従来技術としては、各辞書データに適した検索画面を表示させるために、各辞書データの検索方式に基づいて設定された設定データを辞書データと共に格納した情報記録媒体が知られている（例えば、特許文献１参照）。
【０００３】
【特許文献１】
特開２００１−２０９６４９号公報
【０００４】
【発明が解決しようとする課題】
一般に、従来の電子辞書では、入力文字列を入力するための検索画面のレイアウトが辞書データに対して固定的に決められている。
このため、辞書データをメモリーカード等の取り外し可能な記録媒体に記録して様々な電子辞書で利用する場合、辞書データだけでなく検索画面を表示させるプログラムについても移植しなければならない。
【０００５】
しかしながら、開発される電子辞書のハードウェア構成によっては、画面サイズの大小やカラー表示の可否などの表示能力に差がうまれる。
この場合、異なる電子辞書間で同様の検索画面を表示できず、辞書データも、検索画面を表示させるプログラムもそのまま利用できなくなる。
【０００６】
この発明は以上のような事情を考慮してなされたものであり、辞書データを取り外し可能な記録媒体に記録して様々な電子辞書で利用する場合に、電子辞書の表示能力に差があっても、その表示能力に合わせて適切な検索画面を表示することを可能にする電子辞書用記録媒体、それを用いた電子辞書およびその電子辞書の処理プログラムを提供するものである。
【０００７】
【課題を解決するための手段】
この発明は、電子辞書の表示部の表示能力に応じて選択するための複数の検索画面情報と、選択された検索画面情報に基づいて表示された検索画面を介して検索可能な辞書情報とを格納した電子辞書用記録媒体を提供するものである。
【０００８】
つまり、この発明による電子辞書用記録媒体は、電子辞書の表示部の表示能力に応じて選択される複数の検索画面情報が辞書情報と共に格納されるので、同じ電子辞書用記録媒体を様々な電子辞書で用いる場合に、各電子辞書の表示部の表示能力に応じた検索画面情報が選択され、選択された検索画面情報に基づいて検索画面が表示される。
このため、電子辞書の表示能力に差があっても、その表示能力に合わせて適切な検索画面を表示させることが可能になる。
【０００９】
【発明の実施の形態】
この発明による電子辞書用記録媒体は、電子辞書の表示部の表示能力に応じて選択するための複数の検索画面情報と、選択された検索画面情報に基づいて表示された検索画面を介して検索可能な辞書情報とを格納したことを特徴とする。
【００１０】
ここで、電子辞書用記録媒体としては、例えば、フレキシブルディスクなどの磁気ディスク、ＣＤ−ＲＯＭ、ＣＤ−Ｒ／Ｗなどの光ディスク、ＭＯなどの光磁気ディスク、フラッシュメモリを利用したメモリカードなどを挙げることができる。
また、表示部としては、例えば、ＣＲＴ、ＬＣＤ、プラズマディスプレイ、ＥＬディスプレイなどを挙げることができる。
【００１１】
また、検索画面情報は、表示部に表示される検索画面の画面構成を決定するレイアウト情報を意味し、例えば、検索画面に表示するガイダンス表示の種類、表示位置、表示内容などの画面構成に関する情報などから構成される。また、検索画面情報には、検索に用いる辞書データのインデックスを指定する情報が含まれていてもよい。
また、辞書情報は、国語辞典、漢和辞典、英和辞典、百科辞典、各種図鑑などの内容を電子化したものを意味する。
【００１２】
そして、この発明による電子辞書用記録媒体では、電子辞書の表示部の表示能力の高低に応じた複数の検索画面情報が辞書情報と共に格納される。
これにより、例えば、もっとも基本的な辞書順（５０音順など）の検索画面をレベル１、分野を選択して階層的な検索が可能な検索画面をレベル２、イメージを用いたより分かり易い検索画面をレベル３とすると、この発明による電子辞書用記録媒体を利用する電子辞書は、少なくとも、レベル１の検索画面を表示できる表示能力を備えていればよいことになる。
そして、レベル２の検索画面を表示できる表示能力を備えていれば、階層メニューの利用が可能になり、レベル３の検索画面を表示できる表示能力を備えていればイメージの利用が可能になるといった具合に、電子辞書の処理能力や表示能力に対応する検索画面情報を利用して適切な検索画面を表示できるようになる。
【００１３】
このように、電子辞書用記録媒体に表示能力に応じた複数の検索画面情報を辞書情報と共に格納することにより、電子辞書の表示能力に合わせて適切な検索画面を表示でき、かつ、同一の辞書情報を様々な電子辞書で利用できるようになる。
【００１４】
この発明は別の観点からみると、この発明による上記電子辞書用記録媒体から検索画面情報および辞書情報を読み込む読取部と、表示部と、読み込んだ検索画面情報から表示部の表示能力に応じた検索画面情報を選択し検索画面として表示部に表示させる選択部と、表示された検索画面に基づいて文字列を入力するための入力部と、入力された文字列に対応する辞書情報を検索して表示部に表示する検索部を備える電子辞書を提供するものでもある。
【００１５】
ここで、読取部は、前述のような、フレキシブルディスクなどの磁気ディスク、ＣＤ−ＲＯＭ、ＣＤ−Ｒ／Ｗなどの光ディスク、ＭＯなどの光磁気ディスク、フラッシュメモリを利用したメモリカードなどから駆動型又は静止型の読取装置で構成できる。
また、表示部は、前述のような、ＣＲＴ、ＬＣＤ、プラズマディスプレイ、ＥＬディスプレイなどで構成できる。
また、選択部および検索部は、例えば、ＣＰＵ、ＲＡＭ、ＲＯＭ、Ｉ／Ｏポートなどからなるマイクロコンピュータで一体的に構成できる。
また、入力部は、例えば、キーボード、マウス、タブレットなどで構成できる。
【００１６】
また、この発明は更に別の観点からみると、この発明による上記電子辞書に利用されるプログラムを記録した記録媒体であって、電子辞書用記録媒体から検索画面情報および辞書情報を読み込み、読み込んだ検索画面情報から表示部の表示能力に応じた検索画面情報を選択し検索画面として表示部に表示させ、入力された文字列に対応する辞書情報を検索して表示部に表示させるプログラムをコンピュータで読み取り可能に記録した記録媒体を提供するものでもある。
【００１７】
【実施例】
以下にこの発明の実施例について図面に基づいて詳細に説明する。
【００１８】
図１はこの発明の実施例による電子辞書の全体構成を示すブロック図である。
図１に示されるように、この発明の実施例による電子辞書は、選択部１１ａおよび検索部１１ｂを備える中央制御部１１、表示部としての表示装置１２、入力部としての入力装置１３、読取部としての外部メモリ読取装置１８、電子辞書用記録媒体としての外部記録媒体１９から構成される。
さらに、中央制御部１１を支援するためのＲＯＭ１４、ＲＡＭ１５、記憶装置１６が設けられる。
【００１９】
ここで、中央制御部１１は、各種命令により入力情報あるいは出力情報を制御する。
特に、選択部１１ａは、表示装置１２の表示能力に応じて第１、第２および第３検索画面情報２１ａ，２１ｂ，２１ｃ（図２参照）を選択し検索画面として表示装置１２に表示する。
また、検索部１１ｂは、入力された文字列に対応する辞書情報２２（図２参照）を検索して表示装置１２に表示する。
【００２０】
表示装置１２は、中央制御部１１の指示に従って、電子辞書内のデータを表示する。
入力装置１３は、文字を入力するための文字キー、カーソルや選択項目を移動させたり画面をスクロールさせたりするためのカーソルキー、および選択した項目を決定するための決定キーなどで構成され、中央制御部１１は入力装置１３からの入力に応じて検索文字の入力、選択、登録、画面の切り替えを行う。
【００２１】
ＲＯＭ１４は、中央制御部１１の動作を示したプログラムを記憶したプログラムエリア、表示装置の画面上に表示を行うためのフォントエリアとアイコンエリアを有している。
ＲＡＭ１５は、データを記憶する作業用ＲＡＭで構成される。記憶装置１６は、検索データの履歴などのデータを記憶する。
【００２２】
外部メモリ読取装置１８は、外部記録媒体１９に記録されたデータを読み取って記憶する。
外部記録媒体１９は、例えば、フレキシブルディスク、ＣＤ−ＲＯＭ、ＩＣカードなど本体と分離可能な記録媒体で構成される。
外部記録媒体１９には、表示装置１２に表示される検索画面の画面構成を決定する第１、第２および第３検索画面レイアウトデータ（複数の検索画面情報）２１ａ，２１ｂ，２１ｃ（図２参照）と辞書データ（辞書情報）２２（図２参照）が格納される。
また、外部記録媒体１９には、電子辞書を機能させるためのプログラムが記録されていてもよい。
【００２３】
ここで、外部記録媒体１９に格納される検索画面レイアウトデータおよび辞書データの構成と、各検索画面レイアウトデータにより生成される検索画面の画面構成について図２および図３に基づいて説明する。
図２は検索画面レイアウトデータおよび辞書データの構成と、各検索画面レイアウトデータにより生成される検索画面の画面構成を概念的に示す説明図、図３は各検索画面レイアウトデータの構成を概念的に示す説明図である。
【００２４】
図２に示されるように、外部記録媒体１９は、第１検索画面レイアウトデータ２１ａ，第２検索画面レイアウトデータ２１ｂおよび第３検索画面レイアウトデータ２１ｃ、並びに、辞書データ２２を共に格納している。
辞書データ２２は、辞書データ本体２２ａと、辞書順検索用インデックス２２ｂ、階層メニューインデックス２２ｃから構成されている。
【００２５】
図３に示されるように、第１、第２および第３検索画面レイアウトデータ２１ａ，２１ｂ，２１ｃは、レベル４１、種類４２、表示位置４３、表示データ４４およびリンク情報４５の５つの項目からそれぞれ構成されている。
ここで、レベル４１は、対応可能な表示装置の表示能力を規定する情報からなり、種類４２は、テキスト、エディタ、イメージ、リンクなどのガイダンス表示の種類を規定する情報からなっている。
また、表示位置４３は、ガイダンス表示の表示位置を指定する情報からなり、表示データ４４は、実際に表示するテキストやイメージなどのデータからなっている。
リンク情報４５は、辞書データ本体２２ａ内の検索をよりスムーズに行うために辞書データ２２内の辞書順検索用インデックス２２ｂや階層メニューインデックス２２ｃなどへのリンク先を指定する情報からなっている。
なお、レベル４１の項目は、ガイダンス表示の種類を規定する種類４２に基づいて決定されてもよく、省略可能である。
【００２６】
ここで、表示能力が低い表示部でも表示可能な検索画面のレベルをレベル１、レベル１よりも高い表示能力を要求する検索画面をレベル２、レベル２よりも更に高い表示能力を要求する検索画面をレベル３とすると、第１検索画面レイアウトデータ２１ａはレベル１に対応し、第２検索画面レイアウトデータ２１ｂはレベル２に対応し、第３検索画面レイアウトデータ２１ｃはレベル３に対応するよう設定されている。
【００２７】
すなわち、図２に示されるように、第１検索画面レイアウトデータ２１ａは、レベル１の検索画面１０１として最も基本的な辞書順（５０音順など）の検索画面を生成する。
また、第２検索画面レイアウトデータ２１ｂは、分野を選択して階層的な検索を可能にするレベル２の検索画面１０２を第１検索レイアウトデータ２１ａと共に生成する。
さらに、第３検索画面レイアウトデータ２１ｃは、イメージを用いたより分かり易いレベル３の検索画面１０３を第１および第２検索レイアウトデータ２１ａ，２１ｂと共に生成する。
【００２８】
次に、この発明の実施例による電子辞書がその表示装置の表示能力に応じてレベルごとの検索画面を生成する際の動作について図４に基づいて説明する。
図４はこの発明の実施例による電子辞書が外部記録媒体から検索画面レイアウト情報を読み取って表示装置の表示能力に応じたレベルごとの検索画面を生成する際の動作を示すフローチャートである。
【００２９】
図４に示されるように、ステップＳ３０１で表示を開始すると、ステップＳ３０２で１つ目の検索画面レイアウトデータを読み込む。
その後、ステップＳ３０３に進み、ステップＳ３０２で読み込んだ検索画面レイアウトデータのレベルと、表示装置の表示能力に応じて設定されているレベルを比較し、レベルが対応しているか確認する。
対応している場合、ステップＳ３０４に進み、検索画面レイアウトデータに従って、検索画面を表示する。
【００３０】
その後、ステップＳ３０５に進み、全ての検索画面レイアウトデータについて処理（上記ステップＳ３０２〜Ｓ３０４）が行われたか判断し、全ての検索画面レイアウトデータについて処理が完了するまで上記ステップＳ３０２〜Ｓ３０５を繰り返す。
一方、全ての検索画面レイアウトデータについて処理が完了した場合にはステップＳ３０６へ進んで検索画面の生成を終了する。
なお、このような検索画面の生成動作を行うプログラムは、予めＲＯＭ１４（図１参照）に記憶されていてもよいし、外部記録媒体１９から電子辞書へインストールされてもよい。
【００３１】
次に、第１検索画面レイアウトデータ２１ａ（図２参照）の具体的な構成および検索画面レイアウトデータ２１ａにより生成されるレベル１の検索画面１０１（図２参照）の具体的な画面構成について図５〜７に基づいて説明する。
図５は図２に示される第１検索画面レイアウトデータ２１ａの具体的な構成を示す説明図、図６は図２に示されるレベル１の検索画面１０１の具体的な画面構成を示す説明図、図７は図６に示されるレベル１の検索画面１０１から入力によって切り替わった画面を示す説明図である。
【００３２】
図５に示されるように、第１検索画面レイアウトデータ２１ａは、３つのレイアウトデータ２１ｄ，２１ｅ，２１ｆからなっている。
レイアウトデータ２１ｄ，２１ｅは「テキスト」に関連するデータであり、レイアウトデータ２１ｆは「入力エディタ」に関連するデータである。
各レイアウトデータ２１ｄ，２１ｅ，２１ｆは図３に示される５つの項目からそれぞれ構成されている。
【００３３】
ここで、「テキスト」データとは、指定された表示位置に指定の文字列を表示し、辞書の名前または入力を促す表示、あるいは、使い方などの表示を行うためのものである。
一方、「入力エディタ」は、指定された表示位置に入力装置から入力された文字列を表示する機能をもっている。また、「入力エディタ」は、辞書順検索用インデックスへのリンク情報を用い、入力された文字列で検索を行うこともできる。
【００３４】
このような第１検索画面レイアウトデータ２１ａに従って検索画面を表示すると図６に示すようなレベル１の検索画面１０１となる。
レベル１の検索画面１０１は、「テキスト」と「入力エディタ」からなる最も基本的な検索画面であり、「入力エディタ」から入力した文字列で検索を行うと図７に示されるような検索結果を一覧表示する画面１０４へ切り替わる。
【００３５】
次に、第２検索画面レイアウトデータ２１ｂ（図２参照）の具体的な構成、並びに、第１および第２検索画面レイアウトデータ２１ａ，２１ｂにより生成されるレベル２の検索画面１０２の具体的な画面構成について図８〜１０に基づいて説明する。
図８は図２に示される第２検索画面レイアウトデータ２１ｂの具体的な構成を示す説明図、図９は図２に示されるレベル２の検索画面１０２の具体的な画面構成を示す説明図、図１０は図９に示されるレベル２の検索画面１０２から入力によって切り替わった画面を示す説明図である。
【００３６】
図８に示されるように、第２検索画面レイアウトデータ２１ｂは、２つのレイアウトデータ２１ｇ，２１ｈからなっている。
レイアウトデータ２１ｇ，２１ｈは「リンクテキスト」に関連するデータであり、図３に示される５つの項目からそれぞれ構成されている。
【００３７】
ここで、「リンクテキスト」は、階層メニューインデックス２２ｃへの橋渡し的な表示となるものであり、入力装置１３のカーソルキーと決定キーを用いて選択することができる。
このような第２検索画面レイアウトデータ２１ｂと第１検索画面レイアウトデータ２１ａを組み合せて検索画面を表示すると図９に示すようなレベル２の検索画面１０２となる。
【００３８】
入力装置１３のカーソルキーと決定キーを用いて「リンクテキスト」を選択すると、図１０に示すようなリンク情報によって関連付けられている階層メニューインデックスの画面１０５に切り替わる。
また、「入力エディタ」から文字列を入力した場合は、レベル１の場合と同様に、図７に示すような検索結果を一覧表示する画面１０４へ切り替わる。
【００３９】
次に、第３検索画面レイアウトデータ２１ｃの具体的な構成、並びに、第１、第２および第３検索画面レイアウトデータ２１ａ，２１ｂ，２１ｃにより生成されるレベル３の検索画面１０３の具体的な画面構成について図１１および図１２に基づいて説明する。
図１１は図２に示される第３検索画面レイアウトデータ２１ｃの具体的な構成を示す説明図、図１２は図２に示されるレベル３の検索画面１０３の具体的な画面構成を示す説明図である。
【００４０】
図１１に示されるように、第３検索画面レイアウトデータ２１ｃは、２つのレイアウトデータ２１ｉ，２１ｊからなっている。
レイアウトデータ２１ｉ，２１ｊは「リンク画像」に関連するデータであり、図３に示される５つの項目からそれぞれ構成されている。
ここで、「リンク画像」は、レベル２の「リンクテキスト」を分かり易いイメージで表わしたものである。
【００４１】
このような第３検索画面レイアウトデータ２１ｃと第１および第２検索画面レイアウトデータ２１ａ，２１ｂを組み合せて検索画面を表示すると図１２に示すようなレベル３の検索画面１０３となる。
【００４２】
以上のように、外部記録媒体１９に表示装置１２の表示能力に応じた第１、第２および第３検索画レイアウトデータ２１ａ，２１ｂ，２１ｃを辞書データ２２と共に格納することにより、電子辞書の表示能力に合わせて適切な検索画面を表示でき、かつ、同一の辞書データ２２を様々な電子辞書で利用できるようになる。
【００４３】
【発明の効果】
この発明によれば、電子辞書用記録媒体に、電子辞書の表示部の表示能力に応じて選択される複数の検索画面情報が辞書情報と共に格納されるので、同じ電子辞書用記録媒体を様々な電子辞書で用いる場合に、各電子辞書の表示部の表示能力に応じた検索画面情報が選択され、選択された検索画面情報に基づいて検索画面が表示される。この結果、電子辞書の表示能力に差があっても、その表示能力に合わせて適切な検索画面を表示させることが可能になる。
【図面の簡単な説明】
【図１】この発明の実施例による電子辞書の全体構成を示すブロック図である。
【図２】第１、第２および第３検索画面レイアウトデータ、並びに、辞書データの構成と、各検索画面レイアウトデータにより生成される検索画面の画面構成を概念的に示す説明図である。
【図３】各検索画面レイアウトデータの構成を概念的に示す説明図である。
【図４】この発明の実施例による電子辞書が外部記録媒体から検索画面レイアウト情報を読み取って表示装置の表示能力に応じたレベルごとの検索画面を生成する際の動作を示すフローチャートである。
【図５】図２に示される第１検索画面レイアウトデータの具体的な構成を示す説明図である。
【図６】図２に示されるレベル１の検索画面の具体的な画面構成を示す説明図である。
【図７】図６に示されるレベル１の検索画面から入力によって切り替わった画面を示す説明図である。
【図８】図２に示される第２検索画面レイアウトデータの具体的な構成を示す説明図である。
【図９】図２に示されるレベル２の検索画面の具体的な画面構成を示す説明図である。
【図１０】図９に示されるレベル２の検索画面から入力によって切り替わった画面を示す説明図である。
【図１１】図２に示される第３検索画面レイアウトデータの具体的な構成を示す説明図である。
【図１２】図２に示されるレベル３の検索画面の具体的な画面構成を示す説明図である。
【符号の説明】
１１・・・中央制御部
１１ａ・・・選択部
１１ｂ・・・検索部
１２・・・表示装置
１３・・・入力装置
１４・・・ＲＯＭ
１５・・・ＲＡＭ
１６・・・記憶装置
１８・・・外部メモリ読取装置
１９・・・外部記録媒体
２１ａ・・・第１検索画面レイアウトデータ
２１ｂ・・・第２検索画面レイアウトデータ
２１ｃ・・・第３検索画面レイアウトデータ
２１ｄ，２１ｅ，２１ｆ，２１ｇ，２１ｈ，２１ｉ，２１ｊ・・・レイアウトデータ
２２・・・辞書データ
２２ａ・・・辞書データ本体
２２ｂ・・・辞書順検索用インデックス
２２ｃ・・・階層メニューインデックス
４１・・・レベル
４２・・・種類
４３・・・表示位置
４４・・・表示データ
４５・・・リンク情報
１０１・・・レベル１の検索画面
１０２・・・レベル２の検索画面
１０３・・・レベル３の検索画面
１０４，１０５・・・入力によって切り替わった画面
【図１】
2004272574.tif 000003
【図２】
2004272574.tif 000004
【図３】
2004272574.tif 000005
【図４】
2004272574.tif 000006
【図５】
2004272574.tif 000007
【図６】
2004272574.tif 000008
【図７】
2004272574.tif 000009
【図８】
2004272574.tif 000010
【図９】
2004272574.tif 000011
【図１０】
2004272574.tif 000012
【図１１】
2004272574.tif 000013
【図１２】
2004272574.tif 000014